【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
ハウジングと、
抵抗ケーブルを含む抵抗アセンブリであって、該抵抗アセンブリは、該ハウジング内に配置される、抵抗アセンブリと、
該ハウジング内に配置される張力調整部材であって、該張力調整部材は、該抵抗アセンブリとインタフェースし、第１の位置と第２の位置との間で可動である、張力調整部材と
を備えている、運動器具であって、
該第１の位置において、該抵抗ケーブルが作動するように、該張力頂整部材は、該張力調整部材の移動の範囲の１つの端またはその近くに第１の中立位置を有し、
該第２の位置において、該張力調整部材が第２の中立位置から外れるように動く場合に、該抵抗アセンブリが、該張力調整部材を該第２の中立位置に戻すように、該張力調整部材は、該張力調整部材の移動の範囲の中心近くに第２の中立位置を有する、運動器具。
【請求項２】
前記張力調整部材に連結されたグリップデバイスをさらに備えている、請求項１に記載の運動器具。
【請求項３】
前記抵抗アセンブリは、張力伝達部材と該張力伝達部材に事前に負荷をかけるように構成されているスプリングとを含み、前記張力調整部材は、該張力伝達部材が、Ｙ形の構成およびＸ形の構成のうちの１つであるように、該張力伝達部材の一部分と接触する、請求項２に記載の運動器具。
【請求項４】
前記張力調整部材に取り外し可能に連結されたキャリッジをさらに備えている、請求項１に記載の運動器具。
【請求項５】
前記張力調整部材は、前記抵抗アセンブリに含まれる張力伝達部材と接触する接触面を含み、該接触面は、該張力調整部材に取り付けられたプーリ上に含まれる、請求項１に記載の運動器具。
【請求項６】
前記抵抗アセンブリは、前記張力伝達部材において張力を事前に負荷をかけるように構成されているスプリングと、該スプリングに連結された調整機構とを含むことにより、該事前の負荷が調整され得る、請求項１に記載の運動器具。
【請求項７】
前記調整機構に連結され、前記スプリングの事前の負荷を遠隔で調整するように構成されているコントローラをさらに備えている、請求項６に記載の運動器具。
【請求項８】
前記張力伝達部材は、回転可能なサポートアセンブリ上に配置されるディスクに連結される、請求項６に記載の運動器具。
【請求項９】
ハウジングと、抵抗ケーブルを含む抵抗アセンブリであって、該抵抗アセンブリは、該ハウジング内に配置される、抵抗アセンブリと、該ハウジング内に配置される張力調整部材とを含む運動器具であって、該張力調整部材は、該抵抗アセンブリとインタフェースし、第１の位置と第２の位置との間で可動であり、該第１の位置において、該抵抗ケーブルが作動するように、該張力頂整部材は、該張力調整部材の移動の範囲の１つの端またはその近くに第１の中立位置を有し、該第２の位置において、該張力調整部材が第２の中立位置から外れるように動く場合に、該抵抗アセンブリが、該張力調整部材を該第２の中立位置に戻すように、該張力調整部材は、該張力調整部材の移動の範囲の中心近くに第２の中立位置を有する、運動器具と、
該運動器具を受容するような大きさである空洞を画定する格納式ハウジングと
を備えている、一体化運動システムであって、
該運動器具が保管される構成であるとき、該運動器具は該空洞内に配置される、運動システム。
【請求項１０】
前記格納式ハウジングは、ソファ、ドレッサーおよび壁パネルのうちの１つを含む、請求項９に記載の運動システム。
【手続補正２】
【補正対象書類名】明細書
【補正対象項目名】００１６
【補正方法】変更
【補正の内容】
【００１６】
本発明のこれらおよび他の特徴および利点は、本発明の以下の詳細な説明および添付の図面の検討から理解され、添付の図面において、全体を通じて同様な参照数字は同様な部品を参照する。
例えば、本発明は以下の項目を提供する。
（項目１）
ハウジングと、
該ハウジング内に配置される抵抗アセンブリと、
該ハウジング内に配置される張力調整部材であって、該張力調整部材は、該抵抗アセンブリとインタフェースし、第１の位置と第２の位置との間で可動である、張力調整部材と
を備える、運動器具であって、
該抵抗アセンブリは、該張力調整部材の第１の位置に対応する第１の形状と該張力調整部材の第２の位置に対応する第２の形状とを有し、
該抵抗アセンブリは、該第１の形状において該張力調整部材に第１の力を、そして第２の形状において該張力調整部材に第２の力を加えるように構成され、該第１の力は該第２の力とは異なる大きさを有する、運動器具。
（項目２）
上記張力調整部材に連結されたグリップデバイスをさらに備えている、項目１に記載の運動器具。
（項目３）
上記抵抗アセンブリは、張力伝達部材と該張力伝達部材に事前に負荷をかけるように構成されるスプリングとを含み、上記張力調整部材は、該張力伝達部材の一部分と接触し、その結果として、該張力伝達部材はＹ形の構成である、項目２に記載の運動器具。
（項目４）
上記張力調整部材に取り外し可能に連結されたキャリッジをさらに備えている、項目１に記載の運動器具。
（項目５）
上記抵抗アセンブリは、張力伝達部材と該張力伝達部材に事前に負荷をかけるように構成されるスプリングとを含み、上記張力調整部材は、該張力伝達部材の一部分と接触し、その結果として、該張力伝達部材はＸ形の構成である、項目４に記載の運動器具。
（項目６）
上記張力調整部材は、上記抵抗アセンブリに含まれる張力伝達部材と接触する接触面を含み、該接触面は、該張力調整部材に取り付けられたプーリに含まれる、項目１に記載の運動システム。
（項目７）
上記抵抗アセンブリは、張力伝達部材と該張力伝達部材において張力を事前に負荷をかけるように構成されるスプリングとを含み、該スプリングに調整機構が連結され、その結果として、該事前の負荷が調整され得る、項目１に記載の運動システム。
（項目８）
上記調整機構に連結され、上記スプリングの事前の負荷を遠隔で調整するように構成されたコントローラをさらに備えている、項目７に記載の運動システム。
（項目９）
上記スプリングは、回転可能なサポートアセンブリに連結された第１の端部と上記調整機構に連結された第２の端部とを有するねじりスプリングである、項目７に記載の運動システム。
（項目１０）
上記ねじりスプリングの第１の端部は、リンケージによって上記回転可能なサポートに連結される、項目９に記載の運動システム。
（項目１１）
上記張力伝達部材は、上記回転可能なサポートアセンブリ上に配置されるディスクに連結される、項目９に記載の運動システム。
（項目１２）
上記張力伝達部材は、上記回転可能なサポートアセンブリ上に配置されるカムに連結される、項目９に記載の運動システム。
（項目１３）
ハウジングと、該ハウジング内に配置された抵抗アセンブリと、該ハウジング内に配置された張力調整部材とを含む運動器具であって、該張力調整部材は、該抵抗アセンブリとインタフェースし、第１の位置と第２の位置との間で可動であり、該抵抗アセンブリは、該張力調整部材の第１の位置に対応する第１の形状と該張力調整部材の第２の位置に対応する第２の形状とを有し、該抵抗アセンブリは、該第１の形状において該張力調整部材に第１の力を、そして第２の形状において該張力調整部材に第２の力を加えるように構成され、該第１の力は該第２の力とは異なる大きさを有する、運動器具と、
該運動器具を受容するような大きさである空洞を画定する隠蔽ハウジングと
を備える、一体化運動システムであって、
該運動器具が保管の構成であるとき、該運動器具は該空洞内に配置される、
運動システム。
（項目１４）
上記張力調整部材に連結されたグリップデバイスをさらに備えている、項目１３に記載の運動システム。
（項目１５）
上記抵抗アセンブリは、張力伝達部材と該張力伝達部材に張力を事前に負荷するように構成されるスプリングとを含み、上記張力調整部材は、該張力伝達部材の一部分と接触し、その結果として、該張力伝達部材はＹ形の構成である、項目１４に記載の運動システム。
（項目１６）
上記張力調整部材に取り外し可能に連結されたキャリッジをさらに備えている、項目１３に記載の運動システム。
（項目１７）
上記抵抗アセンブリは、張力伝達部材と該張力伝達部材に張力に事前に負荷するように構成されるスプリングとを含み、上記張力調整部材は、該張力伝達部材の一部分と接触し、その結果として、該張力伝達部材はＸ形の構成である、項目１６に記載の運動システム。
（項目１８）
上記運動器具は、スライド式またはロール式の軌道によって上記隠蔽ハウジングに連結される、項目１３に記載の運動システム。
（項目１９）
上記隠蔽ハウジングは、ソファの背もたれ、複数のソファアームおよびベースを含み、上記空洞は、該ソファベースによって少なくとも部分的に画定される、項目１３に記載の運動システム。
（項目２０）
上記運動器具を上記隠蔽ハウジングに連結するリンケージ機構をさらに備え、該リンケージ機構は、第１の保管の構成および開放の構成との間で可動である、項目１９に記載の運動システム。
（項目２１）
上記隠蔽ハウジングは、ドレッサー本体および少なくとも１つの引出しを含む、項目１３に記載の運動システム。
（項目２２）
上記隠蔽ハウジングは、壁パネルを含む、項目１３に記載の運動システム。
（項目２３）
上記運動器具は、上記壁パネルの内部面に連結され、該壁パネルが閉鎖の構成であるとき、該運動器具は上記空洞内に配置される、項目２２に記載の運動システム。
（項目２４）
上記壁パネルは、閉鎖の構成と開放の構成との間で上記空洞に対してヒンジで動くように構成される、項目２２に記載の運動システム。
（項目２５）
上記壁パネルを上記閉鎖の構成に保持するように構成される少なくとも１つのロック部材をさらに備えている、項目２２に記載の運動システム。